(57)【要約】【課題】  キャビンの吊り作業を、屋根パネルを外すことなく容易に行うことができ、しかも、部品点数を削減してコストダウンを可能にする。【解決手段】  キャビン８に、その吊り作業を行うための吊り具１９〜２２を複数設けるにあたり、これらの吊り具１９〜２２を、キャビン側壁上部（支柱上部）に突設すると共に、キャビン８を機体に搭載した後、吊り具１９〜２２を持ち手に兼用する。例えば、キャビン８の右側前部に設けられる吊り具１９は、キャビン乗降用の持ち手として機能させ、キャビン８の右側後部に設けられる吊り具２０は、穀粒タンク４が機体フレーム１０上から退避したとき、機体フレーム乗降用の持ち手として機能させる。【選択図】        図５
2005059750.tif 000002
【特許請求の範囲】
【請求項１】
吊り作業によって移動農機に搭載されるキャビンであって、該キャビンに、その吊り作業を行うための吊り具を複数設けるにあたり、これらの吊り具は、キャビン側壁上部に突設され、前記移動農機への搭載後、持ち手に兼用されることを特徴とする移動農機用キャビン。
【請求項２】
前記吊り具の一つは、キャビン乗降用の持ち手として機能することを特徴とする請求項１記載の移動農機用キャビン。
【請求項３】
前記移動農機は、機体フレーム上から退避可能な穀粒タンクを備えるコンバインであり、前記穀粒タンクが機体フレーム上から退避したとき、前記吊り具の一つが機体フレーム乗降用の持ち手として機能することを特徴とする請求項１又は２記載の移動農機用キャビン。
【発明の詳細な説明】
【技術分野】
【０００１】
本発明は、コンバインなどに搭載される移動農機用キャビンに関する。
【背景技術】
【０００２】
キャビンを搭載した移動農機が知られている（例えば、特許文献１参照。）。この種のキャビンは、通常、移動農機本体とは別体で構成され、組立工程で移動農機に搭載される。キャビンを移動農機に搭載する際には、キャビンをクレーンなどで吊り上げるため、キャビンに吊り具を設けておくと、キャビンの吊り作業が容易になる。
【特許文献１】特開平１０−１０８５２８号公報
【発明の開示】
【発明が解決しようとする課題】
【０００３】
しかしながら、従来のキャビンでは、屋根パネル内に吊り具が設けられているため、キャビンの吊り作業は、屋根パネルを外した状態で行わなければならない。そのため、後工程として屋根パネルの取付作業が必要となり、作業効率が低下するという問題がある。また、吊り具が屋根上に設けられていると、吊り具に対するフック掛けが容易でなく、作業性の低下を招くことになる。
【課題を解決するための手段】
【０００４】
本発明は、上記の如き実情に鑑みこれらの課題を解決することを目的として創作されたものであり、吊り作業によって移動農機に搭載されるキャビンであって、該キャビンに、その吊り作業を行うための吊り具を複数設けるにあたり、これらの吊り具は、キャビン側壁上部（支柱上部）に突設され、前記移動農機への搭載後、持ち手に兼用されることを特徴とする。
また、前記吊り具の一つは、キャビン乗降用の持ち手として機能することを特徴とする。
また、前記移動農機は、機体フレーム上から退避可能な穀粒タンクを備えるコンバインであり、前記穀粒タンクが機体フレーム上から退避したとき、前記吊り具の一つが機体フレーム乗降用の持ち手として機能することを特徴とする。
【発明の効果】
【０００５】
請求項１の発明によれば、吊り具が、キャビン側壁上部に突設されるので、屋根パネルを外すことなく、キャビンの吊り作業を行うことが可能になる。しかも、吊り具は、移動農機への搭載後、持ち手に兼用されるため、専用の持ち手を減らしてコストダウンを図ることができる。
また、請求項２の発明によれば、吊り具をキャビン乗降用の持ち手に兼用して、コストダウンを図ることができる。
また、請求項３の発明によれば、吊り具を機体フレーム乗降用の持ち手に兼用して、コストダウンを図ることができる。
【発明を実施するための最良の形態】
【０００６】
次に、本発明の実施の形態について、図面に基づいて説明する。図１において、１はコンバインであって、該コンバイン１は、茎稈を刈り取る前処理部２と、刈り取った茎稈を脱穀し、穀粒を選別する脱穀部３と、選別した穀粒を貯溜する穀粒タンク４と、穀粒タンク４内の穀粒を機外に搬出する穀粒排出オーガ５と、脱穀済みの排稈を後処理する後処理部６と、運転席や操作具が設けられる操作部７と、操作部７を覆うキャビン８と、クローラ式の走行部９とを備えて構成されている。
【０００７】
図２及び図３に示すように、コンバイン１の本機は、走行部９上に機体フレーム１０を備え、その右側前部にキャビン８、右側後部に穀粒タンク４、左側に脱穀部３がそれぞれ搭載され、前処理部２は、機体フレーム１０の左側前端部に連結されている。
図２に示すように、穀粒タンク４は、穀粒排出オーガ５の縦パイプ１１を支点として回動自在に支持されており、この回動によって機体フレーム１０上から退避可能となっている。穀粒タンク４を機体フレーム１０上から機体外側方へ退避回動させると、機体フレーム１０の右側後部が開放され、機体内部のメンテナンスが容易になる。
図３に示すように、前処理部２も、図示しない縦軸を支点として回動自在に支持されている。前処理部２を本機の左前方へ退避回動させると、脱穀部３の前方が開放され、機体内部のメンテナンスが容易になる。
【０００８】
キャビン８は、四隅に立設される支柱１２〜１５や、上面部に設けられる屋根パネル１６などによって箱状に形成されている。キャビン８の右側面には、ドア１７によって開閉される乗降口１８が形成されており、この乗降口１８を介してオペレータの乗降が行われる。この種のキャビン８は、通常、本機とは別に組み立てられ、本機の組立工程で機体フレーム１０に搭載される。このキャビン搭載工程は、キャビン８をクレーンなどで吊り上げるため、キャビン８の適所に吊り具１９〜２２が必要となる。
【０００９】
本発明では、キャビン８に、その吊り作業を行うための吊り具１９〜２２を複数設けるにあたり、これらの吊り具１９〜２２を、キャビン８の側壁上部に突設する。例えば、本実施形態のように、コ字形のパイプ材又は棒材からなる吊り具１９〜２２を、キャビン８の四隅に立設される支柱１２〜１５の上部に取付ければよい。このように吊り具１９〜２２を設けると、屋根パネル１６を外すことなく、キャビン８の吊り作業を行うことが可能になるので、後工程として屋根パネル１６の取付作業が不要になるだけでなく、吊り具１９〜２２に対するフック掛けが容易になる。
【００１０】
さらに、本発明では、キャビン８を本機へ搭載した後、吊り具１９〜２２が持ち手に兼用されるようにしてある。例えば、キャビン８の右側前部に設けられる吊り具１９は、キャビン８の乗降に際してオペレータが持ち手として利用することができる。これにより、専用の持ち手を不要にしてコストダウンを図ることが可能になる。なお、本実施形態では、右側前部の吊り具１９をバックミラー２３の取付座にも兼用している。
【００１１】
また、右側後部の吊り具２０は、穀粒タンク４が機体フレーム１０上から退避したとき、機体フレーム乗降用の持ち手として利用することが可能である。これにより、機体右側から機体フレーム１０への乗降が容易になり、また、専用の持ち手を設ける場合に比べ、コストダウンを図ることができる。
【００１２】
また、左側後部の吊り具２１は、穀粒タンク４が機体フレーム１０上から退避したとき、例えば、機体フレーム１０から脱穀部３に乗り移るための持ち手として利用することが可能である。これにより、本機上での移動が容易になり、また、専用の持ち手を設ける場合に比べ、コストダウンを図ることができる。
【００１３】
また、左側前部の吊り具２２は、前処理部２が退避回動したとき、機体フレーム乗降用の持ち手として利用することが可能である。これにより、機体前方から機体フレーム１０への乗降が容易になり、また、専用の持ち手を設ける場合に比べ、コストダウンを図ることができる。
【００１４】
叙述の如く構成された本実施形態では、キャビン８に、その吊り作業を行うための吊り具１９〜２２を複数設けるにあたり、これらの吊り具１９〜２２を、キャビン側壁上部（支柱上部）に突設しているので、屋根パネル１６を外すことなく、キャビン８の吊り作業を行うことができる。しかも、吊り具１９〜２２は、キャビン８を機体に搭載した後、持ち手に兼用されるため、専用の持ち手を減らしてコストダウンを図ることができる。
【００１５】
また、キャビン８の右側前部に設けられる吊り具１９は、キャビン乗降用の持ち手として機能するため、キャビン乗降用として専用の持ち手を備えるものに比べ、部品点数を削減してコストダウンを図ることができる。
【００１６】
また、キャビン８の右側後部に設けられる吊り具２０は、穀粒タンク４が機体フレーム１０上から退避したとき、機体フレーム乗降用の持ち手として機能するため、機体フレーム１０への乗降が容易になるだけでなく、専用の持ち手を設ける場合に比べてコストダウンを図ることが可能になる。
【図面の簡単な説明】
【００１７】
【図１】コンバインの平面図である。
【図２】穀粒タンクを回動させた状態を示すコンバインの斜視図である。
【図３】前処理部を回動させた状態を示すコンバインの斜視図である。
【図４】キャビンの平面図である。
【図５】キャビンを右後方から見た斜視図である。
【図６】キャビンを左後方から見た斜視図である。
【図７】キャビンを左前方から見た斜視図である。
【符号の説明】
【００１８】
１  コンバイン
２  前処理部
３  脱穀部
４  穀粒タンク
８  キャビン
１０  機体フレーム
１２〜１５  支柱
１６  屋根パネル
１７  ドア
１８  乗降口
１９〜２２  吊り具
【図１】
2005059750.tif 000003
【図２】
2005059750.tif 000004
【図３】
2005059750.tif 000005
【図４】
2005059750.tif 000006
【図５】
2005059750.tif 000007
【図６】
2005059750.tif 000008
【図７】
2005059750.tif 000009